(57)【要約】      （修正有）【課題】イチゴ等果実類の盛り込まれた容器上面を被うため容器長手方向の両端縁にのみ粘着材が塗布された包装用フィルムに対し、フィルムの容器からの剥がれや、隙間からの落下等を防止する。【解決手段】本発明包装用フィルムは、果実類の盛り込まれた容器上面を被うため容器長手方向の両端縁にのみ粘着材が施された包装用フィルムにおいて、伸縮性に乏しい二軸延伸ポリプロピレンフィルムを基体とし、該基体の一部で粘着材と平行する方向に伸縮性を備えた透明フィルムを帯状に配設したことを特徴とする。【選択図】図１
2018177321.tif 000002
【特許請求の範囲】
【請求項１】
果実類の盛り込まれた容器上面を被う長手方向の両端縁にのみ粘着材が塗布された包装用フィルムにおいて、
伸縮性に乏しい二軸延伸ポリプロピレンフィルムを基体とし、該基体の一部で粘着材と平行する方向に伸縮性を備えた透明フィルムを帯状に配設したことを特徴とする包装用フィルム。
【請求項２】
請求項１記載の伸縮性を備えた透明フィルムを、リニアローデンポリエチレンフィルムとしたことを特徴とする包装用フィルム。
【請求項３】
請求項１又は２記載の伸縮性を備えた透明フィルムを、粘着材と平行する方向に左右に２本帯状に配設したことを特徴とする包装用フィルム。
【請求項４】
請求項３記載の伸縮性を備えた透明フィルムの帯状部分の幅を、フィルム全体の横幅に対し１本当たり１２〜１５％としたことを特徴とするイチゴ包装用フィルム。
【請求項５】
請求項３又は４記載の伸縮性を備えた透明フィルムを、２本の帯状部分が容器上部の両鍔縁部に当接する位置に配したことを特徴とする包装用フィルム。
【発明の詳細な説明】
【技術分野】
【０００１】
本発明は、イチゴ等を収納する箱形の容器に対し、そこに盛り込まれた内容物を被うため容器長手方向の両端縁にのみ粘着材が塗布された包装用フィルムに関する。
【背景技術】
【０００２】
最近、イチゴ等果実類を上記箱形の容器に収納する場合には、その色彩や粒の大きさ等を強調するためか、箱形容器の上部に山積み状態に盛り込む形態の収納（以下盛り込みタイプという）が行われる傾向にある。
この盛り込みタイプにあって、容器は一般的に、図７に示す如くで、上方が開放された上面と底面との間に若干うち窄まりとなる傾斜状の側面とで構成され、長手方向（縦方向）と短手方向（横方向）とで直方形をなすものが多用されている。  
【０００３】
そして、この容器には、上記の如く、商品としてのイチゴが山盛り状に詰め込まれるが、そのイチゴは粒の大きさや形状はそれぞれが異なり、盛られた山の形状は横方向には左右が非対称で、縦方向には頂部の高さが凸凹状の形となりやすい。
【０００４】
ここに上記の目的で透明のフィルムが被せられるが、一般的に該透明フィルムにはＯＰＰフィルムと称される二軸延伸ポリプロピレンフィルムが用いられ、該フィルムの縦方向には左右一対をなす両端に粘着材が塗布される。
このフィルムは高い透明性と物理的強度を備える一方で、延伸工程を経て製造されること等からフィルム自体は延伸性に欠け、張りの強いものとなる。
又、該フィルムの短手となる横方向には、粘着材は施されず、端部の解放されたものとなる。
【０００５】
この容器と山盛りされるイチゴとそこに被せられるフィルムとの相互関係から、以下の如き問題が生じるものとなる。
【０００６】
ａ）上記の如く、イチゴ等の盛り込まれた山は前後左右に形が不揃いで、そこに延びのない二軸延伸ポリプロピレンフィルムが被せられると、横方向には粘着材で固定されるべき位置が左右でずれてしまい、一方が長く他方が短いものとなり易い。又、その貼着箇所となる容器の側面は、鍔縁部が外側に突出状に形成されているため、フィルムとの接触が不完全となり、一方の貼着力が強いと他方が弱いものとなる。この結果、左右のいずれか一方に、フィルムの固定が不確実なものとなり、剥がれが起き易いものとなる。
【０００７】
ｂ）又、粘着材が施されず解放された横方向のフィルムとイチゴの山盛り状に詰まれた容器の辺縁部との間には、隙間が生じるものとなり、その間口からイチゴの粒が、輸送や商品陳列の際の振動や揺れ等でポロリと落下する事故が起る。
【０００８】
ｃ）更に、容器の上に山盛りされたイチゴが延伸性のないフィルム体でピッタリと貼着されると、そこに強い張力が働き、柔らかいイチゴ全体を押し潰す作用が加わって、傷みのはやいものとなってしまう。特に、容器の上縁部とフィルムとが鋭角で挟まれる端境部では、イチゴが傷み易いものとなる。
【０００９】
尚、先行技術として、切断線と摘み部を備えた包装用フィルムとして特許文献１が存するが、本発明の課題及び解決手段を備えたものではない。
【先行技術文献】
【特許文献】
【００１０】
【特許文献１】特開第２０１５−９８８９号公報
【発明の概要】
【発明が解決しようとする課題】
【００１１】
本発明は上記実情に鑑みてなされたもので、斯かる二軸延伸ポリプロピレンフィルムの欠点を克服し、上記課題を解消しようとするものである。
【課題を解決するための手段】
【００１２】
上記課題を解決するため、請求項１記載の包装用フィルムは、果実類の盛り込まれた容器上面を被う長手方向の両端縁にのみ粘着材が塗布された包装用フィルムにおいて、伸縮性に乏しい二軸延伸ポリプロピレンフィルムを基体とし、該基体の一部で粘着材と平行する方向に伸縮性を備えた透明フィルムを帯状に配設したことを特徴とする。
【００１３】
請求項２記載の包装用フィルムは、伸縮性を備えた透明フィルムをリニアローデンポリエチレンフィルムとしたことを特徴とする。
【００１４】
請求項３記載の包装用フィルムは、伸縮性を備えた透明フィルムを粘着材と平行する方向に左右に２本帯状に配設したことを特徴とする。
【００１５】
請求項４記載の包装用フィルムは、伸縮性を備えた透明フィルムの帯状部分の幅を、フィルム全体の横幅に対し１本当たり１２〜１５％としたことを特徴とする。
【００１６】
請求項５記載の包装用フィルムは、伸縮性を備えた透明フィルムを２本の帯状部分が容器上部の両鍔縁部に当接する位置としたことを特徴とする。
【発明の効果】
【００１７】
請求項１記載の包装用フィルムは、二軸延伸ポリプロピレンフィルムを基体とすることで、透明性、引っ張り強度等に優れた特性を維持する。一方で、伸縮性を備えた透明フィルムを基体の粘着材と平行する方向に帯状に配設したことで、フィルムが引っ張られた場合に容器縦方向と直交する方向に延伸力が働くものとなり、前後左右に形が不揃いの山盛りのイチゴに延びのない二軸延伸ポリプロピレンフィルムを被せたときに生じる、フィルムと容器との粘着の位置のズレや、粘着力のアンバランスによるフィルムと容器との剥がれの弊を解消することができる。
【００１８】
又、この伸縮性を備えた透明フィルムの特性は、粘着材が施されず解放された横方向のフィルムとイチゴの山盛り状に詰まれた容器の上辺縁部とを引き締め、その間口からイチゴが落下する事故を防止することができる。
【００１９】
同様に、伸縮性を備えた透明フィルム延伸性は、山盛りされたイチゴに対し、ピタリと張られたフィルムの押圧力を緩和させるものとなり、張力が強すぎてイチゴ等の傷みを速める等の弊を回避することができる。
【００２０】
請求項２記載の包装用フィルムにあっては、リニアローデンポリエチレンフィルムによって優れた伸縮性及び耐引裂性等が発揮される。
【００２１】
請求項３記載包装用フィルムにあっては、引張りに対する延伸を左右に分散させることができ、上記フィルムの端部が容器から剥がれてしまう弊を一層弱めることができる。
【００２２】
請求項４記載包装用フィルムにあっては、二軸延伸ポリプロピレンフィルムのもつ張りの特性を失わせることなく、且つ、伸縮性フィルムの柔軟性を発揮させることができ、両者の特性を調和させたものとなる。
【００２３】
請求項５記載包装用フィルムにあっては、透明フィルムの伸縮性が容器上部の両鍔縁部を堺に上下方向に発揮される。上方にあっては、延びのない二軸延伸ポリプロピレンフィルムによる過剰の押圧力を緩和し、両端の隙間を引き締めるように作用する。下方に向かっては、端部粘着材とフィルム間の左右での張力の違いから生じる剥がれを防止する。
【図面の簡単な説明】
【００２４】
【図１】本発明包装用フィルムの平面図である。
【図２】本発明包装用フィルムの断面図で、（イ）が全体断面図、（ロ）が一部断面図である。
【図３】本発明包装用フィルムを被せた状態の横方向側面図である。
【図４】上記側面図の一部拡大断面図である。
【図５】本発明包装用フィルムを被せた状態の縦方向側面図である。
【図６】本発明包装用フィルムを被せた状態の斜視図である。
【図７】従来の包装用フィルムを被せた状態の斜視図である。
【発明を実施するための形態】
【００２５】
本発明の実施形態を説明する。
先ず、本発明は、イチゴ等果実類の盛り込まれた容器Ｓ上面を被う長手方向の両端縁に粘着材４が塗布され、短手方向には粘着材が施されない態様の包装用フィルム１を対象とする（図６参照）。
該フィルム１は、容器の長手となる縦方向の側面を被うため、この縦方向の側面に向かって長尺部分を形成し、その長尺部分の端部に粘着材４を塗布する。即ち、図１及び図２に示す如く、フィルム１は、図面上左右方向、−容器長手方向の側面を被う部分のある方向−が長尺となり、図面上の前後方向−側面の被いのない方向−が短尺となる。そして、上記の如く、この左右方向の端部に粘着材４を塗布する。
【００２６】
このフィルムには、一般にＯＰＰフィルムと称される二軸延伸ポリプロピレンフィルム（厚み２５μｍ程度）が多用され、該フィルムは、後述する如く、透明性が高く、且つ、張力に優れたもので、イチゴＫ等の色彩や形状を浮き彫りにして購買意欲を高める性能を備えるものである。本発明にあっても、この優れた性能を備えた二軸延伸ポリプロピレンフィルム２を基体として用いる。
【００２７】
そして、本発明にあっては、上記粘着材４が塗布された包装用フィルム１において、二軸延伸ポリプロピレンフィルム２を基体とし、該基体の一部で粘着材４と平行する方向に伸縮性を備えた透明フィルム３（以下伸縮性フィルムという）を帯状に配設する。
該フィルムには、例えば、ＬＬＤＰＥフィルムと称されるリニアローデンポリエチレンフィルム３を用いる。
【００２８】
このリニアローデンポリエチレンとは、詳細には、直鎖状短鎖分岐ポリエチレンと称されるもので、例えば、ブテン−１、ヘキセン−６、オクテン−１をコモノマーとして共重合させた、短分子鎖を多くもたせた分子設計となる。二軸延伸ポリプロピレンフィルム２と同様、透明性が高い一方で、柔軟性と延伸性に優れ、引っ張り力に対して、その力に追随して伸びる特性を備える。そして、この追随にあって、フィルム３に引き裂きや切断を生じさせることのない柔軟性と強度を備える。フィルムとしての厚みは３０〜６０μｍ程度である。
【００２９】
この伸縮性フィルム３を、上記の如く粘着材４と平行する方向に帯状に配するが、この粘着材４と平行する方向とは、例えば、１６５×１１５×４０ｍｍの容器に対して、２２０×１６５ｍｍの包装用フィルムで包むとき、長方形となる包装用フィルムの長手方向に沿った方向をいう。粘着材４は、その端部に１４ｍｍ程度の幅で塗布される。
この粘着材４に平行させて伸縮性フィルム３を配設する理由は、包装用フィルムを容器に貼着させる際には、装置又は人の手によって、フィルムを容器長手方向と直行する方向に引っ張り、その端を容器の長手方向の側面に貼着させようとするからで、その引っ張り力と直交する方向にフィルムの伸縮が有効となるからである。
【００３０】
該伸縮性フィルム３の帯状部分の幅を如何にするかは、フィルム全体に対する割合で決められる。
例えば、後述する如く、対称となる位置に中央に１本又は左右に分散させて２本配設させた場合、フィルム全体の横幅が２２０ｍｍであったとき、伸縮性フィルム３の帯状部分の幅を中央に１本配した場合には３５ｍｍ〜４５ｍｍ、左右に分散させて２本とした場合には５４〜６６ｍｍとする。好ましくは、帯状の幅を中央１本では４０ｍｍ、左右に分散させた場合では１本を３０ｍｍ、２本合計で６０ｍｍとする。
割合で表したとき、フィルム全体の横幅（１００％）に対し帯状部分の幅を、中央１本では１６〜２０％、左右分散では２４〜３０％（１本当たり１２〜１５％）が適合するものとなる。
これは全体の割合として１６％以下では延伸の割合が少なく３０％以上では張力が失われるからである。
【００３１】
該伸縮性フィルム３と上記二軸延伸ポリプロピレンフィルム２との接合は、両者が熱可塑性であることから、加熱によって熱融着部３ａを形成することができ、緊密な接合が可能である（図２参照）。その他接着剤等によっても良い。
【００３２】
該伸縮性フィルム３は、対称となる位置に中央に１本又は左右に分散させて２本配設するのが好ましい。
これはフィルムに対し容器長手方向と直行する方向から引張り力が働いたとき、伸縮性フィルム３の延伸作用を左右分散させて、バランス良く働かせるためである。
【００３３】
又、伸縮性を備えた透明フィルム３は、左右に分散させた場合帯状部分が容器上部の両鍔縁部Ｓａに当接する位置に配設するのが望ましい。
図３に示す如く、容器Ｓの辺縁となる位置に、横方向の左右から見た場合に外側に突出した鍔縁部Ｓａが形成されるので、その突き出た鍔縁部Ｓａを挟んで伸縮性フィルム３が接する状態とすることで、両端の粘着材４が貼着された際に突出状態の鍔縁部でフィルムに伸縮性がより発揮されるからである。
【００３４】
次いで、本発明フィルムの作用及び効果を説明する。
先ず、イチゴＫの盛り込まれた容器上面を被うためのイチゴ包装用フィルム１にあって二軸延伸ポリプロピレンフィルム２を基体として使用するが、これによって、包装フィルムが、クリアで透明度が高く、張力に優れて皺になりにくい等の性能を備えものとなる。
【００３５】
一方で、このフィルム２の端部を容器に貼着する際には、前後左右に形が不揃いの山盛りのイチゴに延びのない二軸延伸ポリプロピレンフィルムを被せると、フィルムと容器との粘着の位置のズレや、粘着力のアンバランスによって、フィルムと容器との間に剥がれが生じ易い。
これに対し、本発明にあって、二軸延伸ポリプロピレンフィルムの一部で粘着材４と平行する方向に伸縮性を備えた透明フィルムを帯状に配設することで、例えば、イチゴＫの盛り込まれた容器上面に該フィルムを被せようとする際に、該フィルムの両端部を容器の長手方向と直交する方向に引っ張られた場合に、容器縦方向と直交する方向に延伸力を働かせるものとなる（図３、図４、図６参照）。
もし一方が長く貼着され他方が短く貼着された場合には、そこに生じる力の不均衡を調整することができ、又、一方が強く他方が弱く貼着された場合には、一方から生じる強い張力で他方が引かれてしまう作用を緩和させることができる。
その結果、フィルムと容器との間に生じていた剥離の問題を解消することができる。
【００３６】
このとき、伸縮性フィルム３を、粘着材４と平行する方向に、対称となる位置に中央に１本又は左右に２本の帯状に配設すると、引張りに対する延伸を左右に分散させることができ、全体のバランスを図って、上記ポリプロピレンフィルム２の端部が容器から剥がれてしまう弊を一層弱めることができる。
【００３７】
そして、この伸縮性フィルム３の帯状部分の幅を、中央に１本の場合３５ｍｍ〜４５ｍｍ、左右に分散させて２本配設させた場合５０〜７０ｍｍとすると、全体の割合が中央１本で１６〜２０％、左右分散で２５〜３０％となり、ポリプロピレンフィルム２の適度な張りを保ちつつ、充分な伸縮性を発揮する（図１、図２参照）。
【００３８】
又、この伸縮性フィルム３の延伸性は、横方向のフィルム端部にあっても発揮され、例えば、イチゴＫの山盛り状態が容器縦方向に頂部の高さが異なり、その端部となる粘着材が施されず解放されていたフィルム端部にあって、その解放端部を引き締め、端部を閉じる作用として発揮される（図５参照）。
即ち、イチゴＫが山盛り状に詰め込まれた場合、それを横方向からみると山の頂部が連なる格好となり、そこに延伸性のないフィルムが張られると、前後で粘着材のない端部が解放され、且つ、そこに張力が作用してフィルムがピンと張ったものとなり、イチゴとフィルムとの隙間を大きくしてしまう傾向にある。
これに対し、伸縮性フィルム３は容器長手方向と直行する方向に延伸力を働かせ、解放端部を引き締めて山頂端部を閉じさせ、積まれたイチゴが崩れないベクトルとして力を作用させるものとなる。たとえ隙間が残ったとしてもそこから落下する事故を防止することができる。
【００３９】
同様に、伸縮性フィルム３の延伸性は、山盛りされたイチゴにフィルムがピタリと被せられても、そこに生じる張力を緩和し、且つ、それが容器の長手方向に帯状に働かせることで、張力の生じるフィルム全体に及ぶものとなる。
この結果、柔らかいイチゴに対し、従来途もすると強い張力の押圧力によってイチゴの傷みを速めていた弊を解消し、且つ、端境部での傷にも対応できるものとなる。
【００４０】
このとき、伸縮性フィルム３をリニアローデンポリエチレンフィルムとすると、柔軟性に富んだ高圧法低密度ポリエチレンの性質に直鎖状の短鎖分岐を持たせた構造により、柔軟性と引き裂きや破れに強い特性を備えるに至り、本発明伸縮性フィルムとして好適なものとなる。
【００４１】
更に、２本の帯状部分を容器上部の両鍔縁部Ｓａに当接する位置とすると、透明フィルムの伸縮性が容器上部の両鍔縁部Ｓａを堺に上下方向に発揮される。上方向には、二軸延伸ポリプロピレンフィルム２による強い張りで左右のバランスが崩れた場合にも、突出した形態の鍔縁部Ｓａによって伸縮性フィルム３が左右に伸ばされた状態となり、このアンバランスを補うものとなる。下方向には、その両端からの伸縮性で容器との間に形成されていた間隙を引き締め、間口部を狭いものとし、そこからの落下を防ぐものとなる（図４参照）。
全体的には、左右に伸ばされた伸縮性フィルム３が、二軸延伸ポリプロピレンフィルム２の押圧力を緩和し、比較的柔らかい力でイチゴと接するものとなる。
【産業上の利用可能性】
【００４２】
本発明包装用フィルムは、イチゴの包装を主とした対象とするが、それ以外にも、ブドー、トマト、サクランボ等の果実類に適用が可能である。
【符号の説明】
【００４３】
１・・包装用フィルム
２・・二軸延伸ポリプロピレンフィルム
３・・伸縮性フィルム
３ａ・・融着部
４・・粘着材
Ｓ・・容器
【図１】
2018177321.tif 000003
【図２】
2018177321.tif 000004
【図３】
2018177321.tif 000005
【図４】
2018177321.tif 000006
【図５】
2018177321.tif 000007
【図６】
2018177321.tif 000008
【図７】
2018177321.tif 000009